(57)【要約】【課題】本発明は、施工費及び維持管理費とも低コストであり、外観的にも美しく、植物栽培をより楽しむ事が出来る省管理タイプの建物緑化を可能とする植生基盤を提供することを目的とする。【解決手段】建物の屋根や屋上、壁面などの常時管理が困難である水平面や法面や鉛直面に設置し、前記各面において植物を栽培する植生基盤において、前記植生基盤は、前記植生基盤の基部をなし、前記植物の根が絡み合う粗めの繊維層を表層に有する植物保持体と、前記植物として、耐暑性を有する種類の多年草かつ低草であって、葉と非類似色の花を咲かせる野生草若しくは野菜とからなることを特徴とする。【選択図】      図２
2004329139.tif 000002
【特許請求の範囲】
【請求項１】
建物の屋根や屋上、壁面などの常時管理が困難である水平面や法面や鉛直面に設置し、前記各面において植物を栽培する植生基盤において、
前記植生基盤は、
前記植生基盤の基部をなし、前記植物の根が絡み合う粗めの繊維層を表層に有する植物保持体と、
前記植物として、耐暑性を有する種類の多年草かつ低草であって、葉と非類似色の花を咲かせる野生草若しくは野菜とからなることを特徴とする植生基盤。
【請求項２】
前記野生草若しくは野菜は、耐乾性や耐寒性を有する種類であって、広幅な葉を有する常緑の野生草若しくは野菜である事を特徴とする請求項１に記載の植生基盤。
【請求項３】
前記植物保持体は、繊維を絡め又は堆積することにより立体状に形成し、前記繊維間の隙間に土壌を充填することにより形成されており、
前記野生草若しくは野菜は、茎の節から根が出る匍匐性の野生草又は根が前記植物保持体の敷設方向にも広がる野菜であることを特徴とする請求項１又は請求項２に記載の植生基盤。
【請求項４】
建物の屋根や屋上、壁面などの常時管理が困難である水平面や法面や鉛直面に設置し、前記各面において植物を栽培する植生基盤において、
前記植生基盤は、
前記植生基盤の基部をなし、肥料を含浸又は付着させた保水性を有する網状体からなり、その網目に前記植物の根や茎が絡むことにより前記植物を保持可能とした植物保持体と、
前記植物として、耐乾性及び耐暑性を有する種類の多年草かつ低草であって、葉と非類似色の花を咲かせ、広幅な葉を有する常緑の植物のうち、茎の節から根が出る匍匐性の野生草とからなることを特徴とする植生基盤。
【請求項５】
前記植生基盤上の植生を複数の種類の野生草により形成した場合、前記植生は葉挿しにより増殖可能な野生草の混植である事を特徴とする請求項１乃至請求項４のいずれか一つに記載の植生基盤。
【請求項６】
前記植生基盤上の植生を形成する前記野生草の種類のうち、少なくとも一つはノハカタカラクサである事を特徴とする請求項１乃至請求項５のいずれか一つに記載の植生基盤。
【請求項７】
前記植生基盤上の植生は、花ニラ、葉ニラなどのニラを含む病害虫に強い野菜のみからなることを特徴とする請求項１乃至請求項３のいずれか一つに記載の植生基盤。
【発明の詳細な説明】
【０００１】
【発明の属する技術分野】
本発明は、建物の屋上や壁面、窓、扉等において植物を栽培する、いわゆる屋上緑化や壁面緑化等の建物緑化に使用される植生基盤に関するものであって、特に省管理で植物栽培を行う植生基盤に関するものである。
【０００２】
【従来の技術】
近年、都市の温暖化現象の緩和及び都市の景観の向上を目的として、建物の屋上やベランダ、壁面、窓、扉等において植物を栽培する、いわゆる屋上緑化、壁面緑化などの建物緑化に関する技術が注目されている。これら建物緑化の技術は主に、手間暇をかけて植物を栽培する園芸タイプと、メンテナンスを出来る限り要しない事が要求される省管理タイプとに大別される。そして、手間暇をかけて植物を栽培する時間的・コスト的余裕のない商業地や工業地においては、省管理タイプの建物緑化技術が特に望まれている。
【０００３】
そして省管理タイプの建物緑化技術に使用される植生基盤としては、例えば図８に示すように、建物の屋根５０の頂部に太陽電池パネル５１を設けると共に、その直下に貯水槽５５を設け、降水を樋５８及び通路５９を介して地下の貯水槽５２に貯水し、又は風呂５６やトイレ５６’からの浄化殺菌された水を一次浄化槽５４に貯留して、その水をポンプ５３、５３’を介しコントローラーにより最適流量で通路５７を介し上部の貯水槽５５に一旦循環供給し、該上部の貯水槽５５から毛細管を介し各培土、植生６２に平均して分水供給して植生の生長を促すものが提案されている（特許文献１）。すなわち、この方法に使用される植生基盤においては、建物を緑化する植物への給水を太陽エネルギーを用いて降雨を循環利用させることによって行っており、培土への水分の供給を欠かさず常に植物の生長にとって良好な状態を保つよう配慮されているが、設備が全体として大がかりとなっている。このような、植物栽培に充分良好な環境を提供するために大がかりな設備を要する植生基盤の場合は、この設備を導入する為に多大なコストと労力を要するという問題がある。
【０００４】
省管理タイプの他の建物緑化技術に使用される植生基盤としては、例えば図９のように、建物の法面７２に植物性繊維マット７３を敷設し、該植物性繊維マット７３を植生ネット７４で覆い、更に止め具７５で植物性繊維マット７３と植生ネット７４とを建物の法面７２に固定し、植生ネット７４にセダム属植物７６の茎葉が配合された育成基盤層７７を形成するようにしたものが提案されている（特許文献２）。すなわち、これによれば、緑化用植物として耐寒性及び耐乾性に優れ育成に手間のかからない植物として多肉植物であるセダム類の中から低草かつ多年草の種類を選び、薄層の育成基盤層を形成するという簡単な構成のみとすることにより、施工費と維持管理費の削減を実現している。なお、セダム類とはベンケイソウ科マンネングサ属の植物の総称であり、その種類は４００以上あると言われているが、コンクリート製ビルの屋上など、夏期には極端な猛暑に見舞われ、これにより著しい乾燥状態となるという過酷な環境に耐え得る種類は限定され、主にメキシコマンネングサ、タイトゴメ、マルバマンネングサ、ツルマンネングサが使用されている。そして、上記４種類のセダム類はいずれも開花時期が５月から７月までに集中しており、他の時期は花を楽しむ事は出来ず、花が無い期間が長い。また花色はいずれも黄色であり、緑色及び黄緑色の葉の中にあっていまいち彩りに欠ける。
このように、耐暑性及び耐乾性といった植物の機能面のみを重視し、栽培植物を特定のセダム類に限定することにより施工費や維持管理費などの費用の削減を計る場合は、空間的及び色彩的に単調となるなど、植生が面白味に欠けるものとなりがちであるという問題がある。
【０００５】
また、植生を特定のセダム類だけで構成すると、病害虫や極度の乾燥などの種々の不良環境要因によって植生全体が壊滅する危険性が高い。また、セダム類は鉛直方向に匍匐伸長しにくいため、セダム類では壁面緑化は困難であるという問題もある。また、セダム類は食用ではなく、その他、鑑賞目的以外に用いる事も出来ないため、用途に多様性がなく、この点においても面白味に欠ける。
【０００６】
ここで、鑑賞目的や食用に出来ることなどに重点を置いてセダム類以外の建物緑化用植物を選ぼうとすると、耐暑性や耐乾性に問題があり、また、茎葉に棘を有するなど人間が安全に触れる事が出来なかったり、野鳥が食する果実を付けるために建物が野鳥の糞害に合うなどの問題がある。また、生育性の低い植物の場合、雑草を抜いたり農薬を散布するなどして除去する必要があり、管理の手間がかかってしまうという問題がある。
【０００７】
また、植生基盤に培土を用いた場合、該培土の崩れを防止するため別部材を設けると、それによりコストがかかり、省管理・低コストによる建物緑化が困難となる。
【０００８】
【特許文献１】
特開平１１−２９３７１７号公報
【特許文献２】
特開２００３−２７４８６号公報
【０００９】
【発明が解決しようとする課題】
本発明は、施工費及び維持管理費とも低コストであり、外観的にも美しく、植物栽培をより楽しむ事が出来る省管理タイプの建物緑化を可能とする植生基盤を提供することを目的とする。
【００１０】
【課題を解決するための手段】
本発明は、建物の屋根や屋上、壁面などの常時管理が困難である水平面や法面や鉛直面に設置し、前記各面において植物を栽培する植生基盤において、前記植生基盤の基部をなし、前記植物の根が絡み合う粗めの繊維層を表層に有する植物保持体と、前記植物として、耐暑性を有する種類の多年草かつ低草であって、葉と非類似色の花を咲かせる野生草若しくは野菜とからなることを特徴とする植生基盤を提供する。
植生基盤の基部を成す植物保持体は前記植物の根が絡み合う粗めの繊維層を表層に有しているので、栽培植物は植物保持体にしっかりと保持された状態となり、植物保持体を建物の水平面や法面や鉛直面に設置することで容易に建物の各面を緑化することが出来る。
そして植物保持体上で栽培される植物を、このように多年草かつ低草の野生草にすれば、維持管理及び手入れが容易であり、緑化用植物を入手するために多大な費用を要する事もない。また、緑化植物として野菜を用いるようにすれば、野菜の収穫という楽しさも得る事が出来る。
なお、これら雑草や野菜の中でも耐暑性を有する種類を用いるようにしたから、厳しい暑さにさらされる建物の屋上などの植生を死滅させることなく緑化植物を容易に維持することが出来る。
そしてこれらの植物のうち、葉と非類似色の花を咲かせる植物を使用するようにしたから、開花時期には普段とは著しく異なる景観が得られ、視覚的により楽しむ事が出来る。
【００１１】
そして本発明は、前記野生草若しくは野菜は、耐乾性や耐寒性を有する種類であって、広幅な葉を有する常緑の野生草若しくは野菜である事を特徴とする。
建物緑化に使用される植物は、人間の身近に存在することになるので、触感の良い広幅な葉を有することが好ましい。ここで、葉の表面積の広い広葉の植物は一般に乾燥や寒さに弱いものが多いが、その中でも特に耐乾性や耐寒性を有する常緑植物を建物緑化用植物として選択的に使用するようにしたので、極端に乾燥しがちな建物の屋上や、緑が少なく殺風景となりがちな冬場においても緑の多い景観を楽しむことが出来る。
【００１２】
また本発明は、前記植物保持体は、繊維を絡め又は堆積することにより立体状に形成し、前記繊維間の隙間に土壌を充填することにより形成されており、前記野生草若しくは野菜は、茎の節から根が出る匍匐性の野生草又は根が前記植物保持体の敷設方向にも広がる野菜であることを特徴とする。
多年草の植物は冬場も根が枯れることなく土壌を保持することが出来るが、更に茎の節から根が出る匍匐性の野生草又は根が水平方向にも広がる野菜であれば、その根が敷設方向の土壌を広範囲に保持することが出来るので、植物保持体表面から土壌が流失するのを防ぐことが出来る。これにより、土壌漏れを防ぐために別途手段を講じる必要はないため、別途コストがかかることがない。また、土壌保持体表面からの土壌の流失を防止することができるので、法面や鉛直面を緑化する際に土壌を含む土壌保持体を用いる場合において好適である。
【００１３】
そして本発明は、建物の屋根や屋上、壁面などの常時管理が困難である水平面や法面や鉛直面に設置し、前記各面において植物を栽培する植生基盤において、前記植生基盤の基部をなし、肥料を含浸又は付着させた保水性を有する網状体からなり、その網目に前記植物の根や茎が絡むことにより前記植物を保持可能とした植物保持体と、前記植物として、耐乾性及び耐暑性を有する種類の多年草かつ低草であって、葉と非類似色の花を咲かせ、広幅な葉を有する常緑の植物のうち、茎の節から根が出る匍匐性の野生草とからなることを特徴とする植生基盤を提供する。
植生基盤の基部である植物保持体としてこのような簡単な構成のものを用いるようにしたから、建物の各面に手軽に植生基盤を設置し緑化することが出来る。そしてこの植物保持体上で栽培される植物は、低管理で手入れのしやすい多年草かつ低草であるとともに耐乾性及び耐暑性を有するため、降雨持に保水性を有する網状体に蓄えられた水分と網状体に含浸又は付着された肥料のみで長期間生存することが出来る。そして、この植物は茎の節から根が出る匍匐性の野生草であるため、網状体上を匍匐伸長し、茎の節から出た根により肥料を吸収しながら成長することが出来るとともに、この植物を入手するのにコストがかからず低コストで建物緑化が実現出来る。なお、葉と非類似色の花を咲かせ、広幅な葉を有する常緑の植物は、一年を通じて緑の多い景観を提供出来ると共に、開花時には普段と著しく違った景観を提供することが出来る。
【００１４】
なお、肥料を含浸又は付着させた保水性を有する網状体としては、例えば以下のものが考えられる。
Ａ．繊維の束を撚り合せてなる撚糸に肥料を含浸又は付着させ、該撚糸を網状に構成したもの
Ｂ．肥料が含浸又は付着された保水性を有する可撓性シートに複数の切り込み部を設け、該切り込み部の延在方向と交差する方向に前記可撓性シートを引くことにより、前記切り込み部が、植物の根や茎などが貫通可能な大きさを有する網目状となるように成したもの
なお、上記Ａ．の網状体の形状は、格子状はもちろんのこと、これに限らず蜘蛛の巣状（放射状に配置した糸の間に、該糸を横切るように他の糸を張り巡らせたもの）や蜂の巣状（六角形状）などであっても良い。
また、上記Ｂ．の網状体を形成するにあたっては、前記可撓性シートは、水分を含んだ状態で植物の根や茎などを保持可能な強度を有する素材からなることが好ましい。このような素材として、耐湿樹脂を混入するなどして強化した紙（以下、強化紙）や、織布、不織布を用いることが出来るが、織布は繊維を織る分手間とコストがかかるため、強化紙若しくは不織布を使用することが好ましい。そして可撓性シートに設ける切り込み部の形状は、直線形に限らず、くの字形、波形などであっても良い。また、線形に限らず中抜き形でも良いが、製造過程でゴミとなる部分を減らし無駄を無くすためには、線形であることが好ましい。
【００１５】
保水性を有する網状体に含浸又は付着（以下、含着）させる肥料は、遅効性肥料や緩効性肥料や即効性肥料の複合肥料である構成が好ましい。
ここで遅効性肥料とは、主に水に難溶性または非水溶性の肥料であり、即効性肥料とは、水（少量の酸を加えた水を含む）によく溶ける肥料である。肥料含浸処理には有機、無機の肥料を使用する。ここで、無機物は石灰、燐酸以外は比較的容易に水に溶け、給水を介しての給肥が可能であり肥料として一般的に即効性があるが、有機物はそのままでは吸収されず、一旦無機物に分解されて後給肥されることから、肥料としては一般的に遅効性である。
【００１６】
上記効果を応用して有機肥料と無機肥料を複合して肥効の時間調節をする。この際、好ましくは水溶性肥料を前記撚糸や可撓性シートに含浸させ、非水溶性または難溶性の肥料を撚糸や可撓性シートの表面に付着させることにより、水溶性肥料の降雨などによる流出を防ぎながら肥効の時間調整が可能となる。
【００１７】
なお、上記網状体を構成する撚糸や可撓性シートには、具体的には以下の方法で肥料を含着させる。
ａ．前記網状体を形成する前記撚糸や可撓性シートを水含浸性を有する素材より構成するか、水含浸性を有さない素材から成る繊維を繊維束とした後撚り合わせてなる撚糸や織布・不織布とした可撓性シートに、肥料を含浸処理する。
ｂ．前記ネットを形成する前記撚糸や可撓性シートの表面に肥料を練り付け、練り込み、塗布、吹き付けなどにより付着させる。
【００１８】
そして本発明は、前記植生基盤上の植生を複数の種類の野生草により形成した場合、前記植生は葉挿しにより増殖可能な野生草の混植である事を特徴とする。
すなわち、複数の種類の野生草を用いて植生を形成する場合、それらの野生草を葉挿しにより増殖可能な野生草の混植とすることにより、それぞれの野生草の種類を気にせず葉挿しを行うことができる。そして葉挿しによれば、生長した植物の茎葉の断片を培地に挿すという簡単かつ効率の良い方法で植生基盤を大量に生産することが出来、迅速な緑化が可能となる。
また、前記植生をこのように混植により形成すれば、単一植物のみで植生を構成する事による生態的な脆弱性が改善される。
【００１９】
そして本発明は、前記植生基盤上の植生を形成する前記野生草の種類のうち、少なくとも一つはノハカタカラクサである事を特徴とする。
ノハカタカラクサは別名トキワツユクサといい、学名はＴｒａｄｅｓｃａｎｔｉａ  ｆｌｕｍｉｎｅｎｓｉｓ  Ｖｅｌｌ．である。その葉は濃い緑色である一方、花は真っ白であり、葉と花の色のコントラストがはっきりしているため、開花時期には美しい景観が得られる。
また、ノハカタカラクサは図１０に示すように、他の野生植物に比べても耐乾性が特に優れており、屋上などの厳しい直射日光にさらされる場所での生育に適している。図１０はノハカタカラクサをはじめとする、無管理の厳しい環境においても日本各地で繁殖している野生草の耐乾性を比較した実験結果の表図である。実験結果は、採取直後の茎葉の新鮮重に対する採取２４時間後の茎葉の新鮮重の百分率で示している。この実験によると、ほとんどの野生草は採取から２４時間経過後にはほとんど枯れてしまっているのに対し、ノハカタカラクサとシロザは生存しており、ノハカタカラクサにおいては９０．３％にも及ぶ確率で新鮮な状態を維持していた。このことから、ノハカタカラクサは著しく優れた耐乾性を有することがわかる。
また、ノハカタカラクサは強い匍匐伸長性を有しているため、水平面のみならず法面や鉛直面を被覆する事も出来る。
【００２０】
また、例えば前記植生をノハカタカラクサとセダム類の混植により形成すれば、建物緑化の植生をセダム類単独により構成した場合に比べ空間的及び色彩的な多様度が向上するとともに、単一植物のみで植生を構成する事による生態的な脆弱性が改善される。また、一般的な屋上緑化に使用される前述の４種のセダム類は開花時期が５月から７月であるが、ノハカタカラクサの開花時期はそれよりも少し遅れて６月から１０月頃であり、長期間に渡って花を楽しむことが出来る。
なお、ノハカタカラクサもセダム類も葉挿しによる増殖が可能な匍匐性を有する植物であるため、ほぼ同条件で栽培することが出来、混植に適している。
【００２１】
そして本発明は、前記植生基盤上の植生は、花ニラ、葉ニラなどのニラを含む病害虫に強い野菜のみからなることを特徴とする。
ニラの生育地域は北海道から沖縄までと幅広く、耐寒性及び耐暑性に優れており、特に耐寒性に関しては雪にも耐え得る程であるので、強い寒さにさらされる建物の屋上においても栽培することが出来る。また、ニラは病気や害虫に強いため、維持管理が極めて容易である上、生育旺盛で再生力が強いため、刈り取り収穫後も毎年再生して収穫することが出来、長年に渡って建物緑化と野菜の収穫を楽しむことが出来る。また、ニラは栄養豊富な野菜であるため収穫により得られる利益が大きい。
【００２２】
また、一般に葉ニラは３月上旬頃から１１月上旬まで、花ニラは７月上旬頃から９月上旬頃まで収穫出来ることから、花ニラや葉ニラなどの複数の種類のニラの混植とするようにすれば、年間を通じて長期にわたりいろいろなニラの収穫を楽しむ事が出来る上、常に植生を緑濃く保つことが出来、より好ましい。
【００２３】
【発明の実施の形態】
以下、本発明の実施の形態について図面を参照して説明する。但し、この実施の形態に記載されている構成部品の寸法、材質、形状、その相対配置などは特に特定的な記載がない限り、この発明の範囲をそれのみに限定する趣旨ではなく、単なる説明例にすぎない。
【００２４】
図１を参照して、図１の（ａ）（ｂ）（ｃ）（ｄ）はそれぞれ建物の屋上で植生を栽培する植生基盤の例を示す概要図である。
図１（ｃ）の植生基盤は、コンクリートスラブ１上に排水用間隙を有する透水板１７を固定し、その上に樹脂製の土壌容器１６を設け、該土壌容器１６内にオレフィン系１００％樹脂製繊維を螺旋状に形成し立体的に絡ませたマットに土壌を摺り込んだ人工地盤１０を配し、更に人工地盤１０上に土壌を配して、固定具１１により土壌容器１６を透水板１７に固定し、その上にノハカタカラクサからなる植生２が植えられてなる。
また、図１（ｄ）の植生基盤は、コンクリートスラブ１上に防根遮水シート１２を接着固定し、その上に直接砂利１９を敷き、更にその上に土壌１８を配し、そしてその上にノハカタカラクサからなる植生２が植えられてなる。
【００２５】
このように、人工地盤１０を用いないか、若しくは人工地盤１０上に更に土壌を配して人工地盤１０上に直接植生２を植えない場合であっても、ノハカタカラクサは土壌表面を覆うようにして匍匐伸長し、茎の節々から根を出して根を張るため、土壌が根によってしっかり保持される。よって、土壌崩れを防止するために別途部材などを用意する必要がない。
また、このように、特に灌水設備を設けずに、植物を植栽面上に保持する植物保持体として植生２の根が絡むことが出来る人工地盤を用いて、植生基盤の排水を良好に保つようにするだけでも、植生２を構成するノハカタカラクサは耐暑性及び耐乾性に特に優れるため充分に育成することが出来る。
【００２６】
図１（ａ）において、１は排水環境の良好な屋上におけるコンクリートスラブであり、その上に防根遮水シート１２を接着固定し、その上にオレフィン系１００％樹脂製繊維を螺旋状に形成し立体的に絡ませたマットに土壌を摺り込んだ人工地盤１０を配して固定具１１により防根遮水シート上に固定している。そしてその上にノハカタカラクサからなる植生２を植えることにより植生基盤を構成している。人工地盤１０は糸を立体的に絡ませた構造であることから、植生２の根が絡み、植生が人工地盤上に固定される構造となっているとともに、透水性も良好に維持され、余分な水分は防根遮水シート１２上を通って排出されるようになっている。
図１（ｂ）においては、植生基盤は人工地盤１０の下側に排水層１４を設けた構造となっており、余分な水分がより良好に排出出来る構成となっている。すなわち、コンクリートスラブ１上に遮水シート１５が接着固定されており、その上にオレフィン系１００％樹脂製の太糸を螺旋状に形成し立体的に絡ませ嵩高に形成したマットからなる排水層１４を設け、その上に防根透水シート１３を敷き、その上に上記と同様の人工地盤１０及び植生２を設けて、固定具１１により人工地盤１０と防根透水シート１３と排水層１４を遮水シート１５に固定した構成となっている。
【００２７】
このようにすれば、人工地盤１０中の土壌は人工地盤１０を構成する繊維によって保持され、更にノハカタカラクサの根によっても保持されるため、よりしっかりと土壌が保持された状態となる。そしてこのようにすれば、以下のように屋根などの傾斜面及び壁面などの鉛直面に設置し緑化することも出来る。
【００２８】
図２を参照して、図１と同じ構成要素については同じ符号を付す。図２（ａ）において、傾斜のある屋根５の上に前述の防根遮水シート１２を接着固定し、その上に上述の人工地盤１０を設けて固定具１１で固定しノハカタカラクサよりなる植生２を植え付ける。また傾斜の緩やかな屋根であれば、図２（ｂ）に示すように排水層１４を設けることにより排水性を確保するようにしても良い。
【００２９】
更に図３に示すように、この植生基盤により、建物の屋上のみならず壁面をも緑化することが出来る。図３（ａ）を参照して、建物の屋上の床面６から壁面７に渡って防根遮水シート１２が接着固定されており、その上に前述の人工地盤１０が固定具１１により固定されている。そして人工地盤１０の上にノハカタカラクサの茎葉３を葉挿しする。ノハカタカラクサの茎葉３は成長して茎の節々から根を出して人工地盤１０に根付き、人工地盤１０上を匍匐伸長して成長し、図３（ｂ）に示すように床面６のみならず壁面７をも徐々に覆い、植生２になる。すなわち、ノハカタカラクサは垂直面に対しても匍匐伸長が可能であるため、壁面も緑化することが出来る。また、ノハカタカラクサは一般的に生育が速いと言われるセダム類よりも更に生育が速いため、早期に建物緑化が実現出来る。
【００３０】
なお、人工地盤１０は複雑に絡み合った螺旋状の樹脂製糸によりしっかりと土壌を保持しており、土壌が移動しにくい構成となっているが、この人工地盤１０の上に匍匐性を有する野生草を植生２として植えるようにしたから、人工地盤１０の表面が植生２に覆われ、その根により人工地盤１０表面の土壌が更にしっかりと保持されることとなり、人工地盤１０の表面からの土壌の流失を防ぐことが出来る。また、人工地盤１０中の土壌は人工地盤１０を構成する繊維だけでなく植生２の根によっても保持されるため、土壌が重力方向に移動するのを防ぐことが出来る。
なお、図３においては床面６側の人工地盤１０にのみ葉挿しを行っているが、壁面７側の人工地盤１０に葉挿しをしてもよい。このようにすれば、植生２が壁面７側の人工地盤１０に直接根付くこととなり、また一般的に生育が速いと言われるセダム類よりも更に生育が速いノハカタカラクサを使用したから、より早期に壁面緑化が可能となるとともに、壁面７の土壌基盤１０中の土壌をより早期にしっかりと保持出来るようになる。
【００３１】
図４を参照して、図４は保水性を有する網状体２０を植物保持体として、植生をトキワツユクサとセダム類との混植により形成した状態を示す概念図である。
図４（ａ）を参照して、屋根５上に防根遮水シート１２を接着固定し、その上に保水性を有する網状体２０を配置して固定具２８により固定する。網状体２０には各所に耐湿樹脂混入の紙（以下、強化紙）により土壌を包み込んだ土嚢２７が設けられている。前記強化紙は、水に濡れても溶けて内部の土壌が漏れ出すことのない強度を有している。そして、この土嚢２７にノハカタカラクサ及びメキシコマンネングサ、タイトゴメ、マルバマンネングサ、ツルマンネングサ等のセダム類の茎葉３を葉挿しする。
【００３２】
そして図４（ｂ）に示すように、ノハカタカラクサ及びセダム類の茎葉３が成長して植生２を形成する。
このように、セダム類もノハカタカラクサも常緑の低草であり葉挿しが可能であるなど、取り扱いに関して共通点が多いため、それぞれの植物の特性に対し細かな配慮をする必要が無く、植生全体の取り扱いが容易である。
なお、セダム類のみだと全体として単調な景観となる一方、植生２をノハカタカラクサとセダム類との混植により形成すると、広葉で濃緑のノハカタカラクサの葉と白い花が景観にメリハリを与え、空間的及び色彩的な多様度を向上させることができる。また、一般的な屋上緑化に使用される前述の４種のセダム類は開花時期が５月から７月であるが、ノハカタカラクサの開花時期はそれよりも少し遅れて６月から１０月頃であり、長期間に渡って花を楽しむことが出来るため、建物緑化用植生をセダム類とノハカタカラクサの混植により構成することは好適である。
【００３３】
なお、保水性を有する網状体２０は、例えば以下のように構成される。
図５を参照して、図５の網状体２０を形成する撚糸２５は、ビニロンを素材とする繊維２６ａよりなる繊維束２６を撚り合せて形成するとともに、前記繊維束２６に肥料の含浸を行い、前記撚糸２５の撚り面の凹凸面に肥料の練り付けなどによる付着処理を行い、肥料の含着をした撚糸２５を得て、前記網状体２０を構成する。ここで、２６ｂは含浸処理によって撚糸に含着された肥料、２５ｃは撚糸に付着された肥料である。このように、屋外での使用において耐久性を有する素材であるビニロンを繊維状にし、該繊維により撚糸を形成するようにしたから、繊維間に水を蓄えることが出来、屋外での使用に耐え保水性を有する網状体２０が得られる。また、網状体２０を形成する撚糸２５にはあらかじめ肥料が含浸及び付着されているから、追肥などの手間を省くことができ、建物が省管理で良好に緑化できる。
【００３４】
ノハカタカラクサは茎が地面を這うように伸び、茎の節部から根をおろす。そして茎の節部から出た根２ａが撚糸２５の繊維２６ａ及び繊維束２６に絡むことよって網状体２０上に保持され、更に根２ａにより肥料を吸収する。また、セダム類も匍匐性を有し、上記と同様の方法で肥料を吸収する。
【００３５】
また、保水性を有する網状体２０は、例えば以下のようにして構成してもよい。
図６を参照して、可撓性シート３０は、ポリエチレン（ＰＥＴ）製のニードルパンチ不織布からなる可撓性シートであり、無機肥料を含浸させた後乾燥させ、その後有機肥料を塗布したものである。図６（ａ）は、上記可撓性シート３０に直線状の切り込み部３１を千鳥状に設けたものである。そしてこの可撓性シート３０を矢印方向に引くことにより、切り込み部３１が開口し、図６（ｂ）に示すように網目３２を形成する。この網目３２の大きさは栽培する植物の根や茎などが充分貫通可能な大きさであればよいので、切り込み部３１の大きさは、例えば１．５ｃｍ〜５ｃｍである。この網状体２０の基本構成は、可撓性シート３０に切り込み部３１を設けて引くという簡単なものであり、容易に作成出来るものであるという利点がある。
【００３６】
なお、上記撚糸２５に含着させる肥料には有機肥料、無機の化学合成肥料を使用する。無機物は石灰、燐酸以外は比較的容易に水に溶け、潅水を介しての給肥が可能であるが、有機物はそのままでは吸収されないため、一旦無機物に分解されて後給肥される。上記効果を応用して有機肥料と無機肥料を複合して肥効の時間調節をするようにしてある。則ち、植生２の枝、葉の育成に効果のある窒素、マグネシウムを多く配合した肥料を含着使用し、建物緑化の時間的問題を解決するようにしている。
【００３７】
図７を参照して、図７は屋上緑化用植物として耐寒性及び耐暑性を有する野菜であるニラを用いた様子を示す概念図である。
図７（ａ）においては、排水性の良い屋上のコンクリートスラブ１上に防根遮水シート１２を接着固定し、その上にオレフィン系１００％樹脂糸を螺旋状に形成し立体的に絡ませたマットに土壌を摺り込んだ人工地盤１０を配し、更にその上に礫質を含む土壌１８を配して植生基盤を形成している。一方、排水が良好でない屋上の場合には、図７（ｂ）に示すように人工地盤１０の下に排水層１４を設けることにより排水性を確保する。すなわち、コンクリートスラブ１上に遮水シート１５を接着固定し、その上に排水層１４を設け、その上に防根透水シート１３を配してから人工地盤１０及び礫質を含む土壌１８を配して植生基盤を形成する。なお、人工地盤１０と土壌１８を合わせた層厚は５ｃｍ〜１０ｃｍである。このように、排水性を充分に確保し、さらに土壌１８に礫質を混ぜることにより植生基盤の排水性を一層良好にすることができる。また、図７（ｃ）に示すように、コンクリートスラブ１上に防根遮水シート１２を接着固定した後、直接土壌１８を配し、土壌１８の底部を礫層１８ａとすることにより排水性を確保した植生基盤を形成することも出来る。
【００３８】
なお、ニラの根は植生基盤の敷設方向にも伸び、土壌をしっかりと保持するため、上記いずれの構成の植物保持体を用いても土壌崩れを防ぐために別途手段を講じる必要はない。しかし、以下のように構成すれば、法面や壁面を緑化するに際し更に好適である。
【００３９】
図７（ｄ）において植生基盤の基部となる植物保持体は、屋上のコンクリートスラブ１上に遮水若しくは透水シート３０を接着固定し、その上に最上層１０ａ、中間層１０ｂ、最下層１０ｃの３層より成る植生マットを敷設し、固定具１１により植生マットをシート３０に固定することにより形成される。植生マットは合成繊維ないしココナッツ繊維を不織布状に堆積形成したものであり、中間層１０ｂには粒度の粗い土壌を密度を粗く充填して排水性を持たせ、最上層１０ａには粒度の細かい土壌を摺り込み充填して植栽部を形成させ、最下層１０ｃには保水性のある植栽土壌を密に充填して植栽物への水分を補給する保水部を形成するようにしている。
【００４０】
このように植物保持体を構成することにより、植生であるニラの根が植生マットの繊維に絡み、植生をよりしっかりと保持することができるので、この植物保持体とニラにより構成した植生基盤を法面又は鉛直面に設置すれば法面緑化や壁面緑化も可能となる。
また、このように、密度勾配を持たせた植生マットを使用することにより植生基盤の通気性、保水性、透水性を良好に維持することができる。
なお、ニラは匍匐性ではないので、壁面緑化をする際には前述の植生マットを平面上に設置してニラを種蒔き・植え付けにより根付かせ植生基盤を形成した後に壁面等の鉛直面に設置することとなる。
【００４１】
こうして構成した、上記いずれの植物保持体においても、土壌１ｍ２あたりに配合する肥料は苦土石灰（ＣａＣＯ３・ＭｇＣＯ３）９０ｇ、堆肥２〜３ｋｇ、油粕１５０ｇ、化成肥料９０ｇとする。
【００４２】
このようにして形成した植物保持体上に、植生４としてニラを株間２０〜３０ｃｍで一カ所につき１２〜１５本植え付けるか、若しくは３月頃に種を蒔く。
このように、日当たりの良い屋上で育ったニラは緑色濃く、一方ニラは白い小さな花をたくさん付けるため、鑑賞目的においても楽しむことが出来る。また、ニラは栄養豊富な植物であるが、野鳥が好む果実を付けないため、屋上が野鳥の糞害に遭うこともなく、屋上を清潔な状態に保ちながら緑化することが出来る。
【００４３】
ニラの品種としては、葉肉が厚く広幅で耐暑性に優れ６月下旬から８月上旬が収穫期である吉林や、広幅で耐寒性に優れ９月中旬から１１月上旬にかけてが収穫期である海南や、さび病や灰色カビ病などの病気に強く収穫期が４月から９月と長く花ニラとしても利用出来るワイドグリーンや、その他、スーパーグリーンベルト、パワフルグリーンベルト、たいりょう、大連広巾など、収穫期の異なるニラを混植する。これにより、植え付けから１年後に、それぞれの種類の収穫期に応じて、年間を通じて長期にわたりいろいろなニラの収穫を楽しむ事が出来るうえ、常に植生を緑濃く保つことが出来る。葉ニラも花ニラも同様の条件で育てることが出来、特に栽培条件を細かく分ける必要がないので管理が容易である。また、収穫後には植え替えを要せず液肥を与えるだけで株が回復して毎年収穫することが出来るので、低管理で屋上緑化と野菜の収穫が楽しめる。
【００４４】
なお、屋上緑化においては酸性雨による植生への影響も問題となるが、ニラの栽培においては苦土石灰（ＣａＣＯ３・ＭｇＣＯ３）を多量に使用するため、酸性雨が中和され、植生への影響が少なくて済む。
【００４５】
【発明の効果】
以上より、本発明によれば、  本発明は、施工費及び維持管理費とも低コストであり、外観的にも美しく、植物栽培をより楽しむ事が出来る省管理タイプの建物緑化を可能とする植生基盤を提供することができる。
【図面の簡単な説明】
【図１】本発明に係る植生基盤にノハカタカラクサを使用した実施例を示す概要図であり、（ａ）は排水層が不要の場合の実施例の概要図、（ｂ）は排水層が必要な場合の実施例の概要図、（ｃ）はプレートタイプによる実施例の概要図、（ｄ）は現場植え込みにした場合の実施例の概要図である。
【図２】本発明に係る植生基盤にノハカタカラクサを使用した他の実施例を示す概要図であり、（ａ）は排水層を設けない場合の概要図、（ｂ）は排水層を設けた場合の概要図である。
【図３】建物の床面から壁面にかけて緑化する緑化基盤を説明するための概要図であり、（ａ）は葉挿し直後の状態を示す概要図、（ｂ）は成長した植生により建物が覆われた状態を示す概要図である。
【図４】保水性を有する網状体を植物保持体とし、ノハカタカラクサとセダム類との混植により緑化基盤を形成した状態の概念図であり、（ａ）葉挿し直後の状態を示す概念図、（ｂ）は成長した植生により建物が覆われた状態を示す概念図である。
【図５】図４の網状体を形成する撚糸を説明するための概念図である。
【図６】図４の網状体の他の形成方法を説明するための概念図である。
【図７】本発明に係る植生基盤における植生として耐寒性及び耐暑性を有する野菜であるニラを用いた様子を示す概要図であり、（ａ）は排水層が不要の場合の実施例の概要図、（ｂ）は排水層が必要な場合の実施例の概要図、（ｃ）は現場植え込みにした場合の実施例の概要図であり、（ｄ）は灌水パイプを設けた場合の実施例の概要図である。
【図８】従来の省管理タイプの建物緑化技術を説明するための概要図である。
【図９】従来の省管理タイプの他の建物緑化技術を説明するための概要図である。
【図１０】野生草の耐乾性実験の結果を示す表図である。
【符号の説明】
１  コンクリートスラブ
２、４  植生
３  茎葉
６  床面
７  壁面
１０  人工地盤
１１、２８  固定具
１２  防根遮水シート
１３  防根透水シート
１４排水層
１５  遮水シート
１６  土壌容器
１７  透水板
１８土壌
１９  砂利
２０  網状体
２５  撚糸
２７  土嚢
【図１】
2004329139.tif 000003
【図２】
2004329139.tif 000004
【図３】
2004329139.tif 000005
【図４】
2004329139.tif 000006
【図５】
2004329139.tif 000007
【図６】
2004329139.tif 000008
【図７】
2004329139.tif 000009
【図８】
2004329139.tif 000010
【図９】
2004329139.tif 000011
【図１０】
2004329139.tif 000012